(57)【要約】【課題】ユーザの利便性を高めることができる画像形成装置を得る。【解決手段】本発明の画像形成装置は、画像が形成可能であり、識別子が書き込まれた複数の無線タグを有する記録媒体を搬送する搬送部と、複数の無線タグと通信可能な第１の通信部と、記録媒体に画像を形成する画像形成部と、搬送部が記録媒体を搬送する第１の搬送期間において、第１の通信部に複数の無線タグのそれぞれと通信を行わせ、第１の通信部と複数の無線タグのそれぞれとの通信結果をデータベースに蓄積し、第１の搬送期間の後の、搬送部が記録媒体を搬送する第２の搬送期間において、データベースに基づいて、画像形成部に画像を形成させる制御部とを備える。【選択図】図３
2018183929.tif 000002
【特許請求の範囲】
【請求項１】
画像が形成可能であり、識別子が書き込まれた複数の無線タグを有する記録媒体を搬送する搬送部と、
前記複数の無線タグのそれぞれと通信可能な第１の通信部と、
前記記録媒体に画像を形成する画像形成部と、
前記搬送部が前記記録媒体を搬送する第１の搬送期間において、前記第１の通信部に前記複数の無線タグのそれぞれと通信を行わせ、前記第１の通信部と前記複数の無線タグのそれぞれとの通信結果をデータベースに蓄積し、前記第１の搬送期間の後の、前記搬送部が前記記録媒体を搬送する第２の搬送期間において、前記データベースに基づいて、前記画像形成部に画像を形成させる制御部と
を備えた画像形成装置。
【請求項２】
前記通信結果は、前記第１の通信部が前記複数の無線タグのそれぞれと通信を行うことができたかどうかを示す第１の情報を含む
請求項１に記載の画像形成装置。
【請求項３】
前記制御部は、前記第１の情報に基づいて、前記画像形成部に、前記複数の無線タグのうちの通信を行うことができた無線タグに対応する位置に画像を形成させる
請求項２に記載の画像形成装置。
【請求項４】
前記通信結果は、前記複数の無線タグのうちの通信を行うことができた無線タグの前記識別子についての第２の情報を含む
請求項２または請求項３に記載の画像形成装置。
【請求項５】
前記データベースにおいて、前記複数の無線タグの前記第１の情報および前記第２の情報は、前記記録媒体における前記複数の無線タグの並び順を示す並び番号と対応づけられている
請求項４に記載の画像形成装置。
【請求項６】
前記第１の通信部は、前記第２の搬送期間において、前記複数の無線タグのうちの第１の無線タグから前記識別子を取得し、
前記制御部は、前記データベースに基づいて、前記第１の無線タグの前記識別子についての前記第２の情報に対応づけられた前記並び番号を取得し、前記複数の無線タグの前記並び番号を利用して、前記画像形成部に画像を形成させる
請求項５に記載の画像形成装置。
【請求項７】
前記制御部は、前記記録媒体の状態に応じて前記並び番号をインクリメントまたはデクリメントすることにより、前記画像形成部に画像を形成させる
請求項６に記載の画像形成装置。
【請求項８】
前記搬送部は、
前記第１の搬送期間において、前記第１の通信部と前記複数の無線タグとの間の通信に対応して、前記記録媒体を間欠的に搬送し、
前記第２の搬送期間において、前記記録媒体を連続的に搬送する
請求項２から請求項７のいずれか一項に記載の画像形成装置。
【請求項９】
印刷データを受信する第２の通信部をさらに備え、
前記第１の搬送期間は、前記第２の通信部が前記印刷データを受信する前の期間である
請求項２から請求項８のいずれか一項に記載の画像形成装置。
【請求項１０】
前記第１の情報は、前記第１の通信部が前記複数の無線タグのそれぞれから前記識別子を読み出すことができたかどうかを示す情報を含む
請求項９に記載の画像形成装置。
【請求項１１】
前記通信結果は、前記複数の無線タグのうちの通信を行うことができた無線タグの前記識別子についての第２の情報を含み、
前記第１の通信部は、前記第１の搬送期間において、前記複数の無線タグのうちの第２の無線タグから前記識別子を取得し、
前記制御部は、前記データベースに前記第２の無線タグの前記識別子についての前記第２の情報が蓄積されている場合には、前記データベースに前記通信結果を蓄積しない
請求項９または請求項１０に記載の画像形成装置。
【請求項１２】
印刷データを受信する第２の通信部をさらに備え、
前記第１の搬送期間は、前記通信部が前記印刷データを受信した後の期間である
請求項２から請求項８のいずれか一項に記載の画像形成装置。
【請求項１３】
前記複数の無線タグは、タグデータを書込可能であり、
前記第２の通信部は、前記印刷データとともに前記タグデータを受信し、
前記第１の情報は、前記第１の通信部が前記複数の無線タグのそれぞれに前記タグデータを書き込むことができたかどうかを示す情報を含む
請求項１２に記載の画像形成装置。
【請求項１４】
前記データベースを記憶する不揮発性の記憶部をさらに備えた
請求項１から請求項１３のいずれか一項に記載の画像形成装置。
【請求項１５】
前記制御部は、前記通信結果を情報処理装置に記憶されたデータベースに蓄積する
請求項１から請求項１３のいずれか一項に記載の画像形成装置。
【請求項１６】
前記画像形成部は、
現像剤像を搬送する像搬送部材と、
所定の位置において、前記記録媒体を挟んで前記像搬送部材と対向配置され、前記現像剤像を前記記録媒体に転写する転写部材と
を有し、
前記第１の搬送期間において、前記像搬送部材および前記転写部材は互いに離れる
請求項１から請求項１５のいずれか一項に記載の画像形成装置。
【請求項１７】
前記記録媒体を挟んで互いに対向するように配置され、現像剤像を前記記録媒体に定着させる第１の定着部材および第２の定着部材を有する定着部をさらに備え、
前記第１の搬送期間において、前記第１の定着部材および前記第２の定着部材は互いに離れる
請求項１から請求項１６のいずれか一項に記載の画像形成装置。
【請求項１８】
第１の搬送期間において、搬送部に、画像が形成可能であり、識別子が書き込まれた複数の無線タグを有する記録媒体を搬送させるとともに、前記複数の無線タグと通信可能な第１の通信部に、前記複数の無線タグのそれぞれと通信を行わせ、
前記第１の通信部と前記複数の無線タグのそれぞれとの通信結果をデータベースに蓄積し、
前記第１の搬送期間の後の第２の搬送期間において、前記搬送部に、前記記録媒体を搬送させるとともに、前記データベースに基づいて、画像形成部に、前記記録媒体に画像を形成させる
画像形成方法。
【発明の詳細な説明】
【技術分野】
【０００１】
本発明は、記録媒体に画像を形成する画像形成装置および画像形成方法に関する。
【背景技術】
【０００２】
画像が形成される記録媒体には、複数の無線タグが並設されたものがある。例えば、特許文献１には、このような記録媒体に画像を形成するとともにデータを書き込むことができる画像形成装置が開示されている。
【先行技術文献】
【特許文献】
【０００３】
【特許文献１】特開２００６−３２１０７３号公報
【発明の概要】
【発明が解決しようとする課題】
【０００４】
一般に、電子機器では、ユーザの利便性を高めることが望まれており、画像形成装置においても、ユーザの利便性を高めることが期待されている。
【０００５】
ユーザの利便性を高めることができる画像形成装置および画像形成方法を提供することが望ましい。
【課題を解決するための手段】
【０００６】
本発明の一実施の形態における画像形成装置は、搬送部と、第１の通信部と、画像形成部と、制御部とを備えている。搬送部は、画像が形成可能であり、識別子が書き込まれた複数の無線タグを有する記録媒体を搬送するものである。第１の通信部は、複数の無線タグと通信可能なものである。画像形成部は、記録媒体に画像を形成するものである。制御部は、搬送部が記録媒体を搬送する第１の搬送期間において、第１の通信部に複数の無線タグのそれぞれと通信を行わせ、第１の通信部と複数の無線タグのそれぞれとの通信結果をデータベースに蓄積し、第１の搬送期間の後の、搬送部が記録媒体を搬送する第２の搬送期間において、データベースに基づいて、画像形成部に画像を形成させるものである。
【０００７】
本発明の一実施の形態における画像形成方法は、  第１の搬送期間において、搬送部に、画像が形成可能であり、識別子が書き込まれた複数の無線タグを有する記録媒体を搬送させるとともに、複数の無線タグと通信可能な第１の通信部に、複数の無線タグのそれぞれと通信を行わせ、第１の通信部と複数の無線タグのそれぞれとの通信結果をデータベースに蓄積し、第１の搬送期間の後の第２の搬送期間において、搬送部に、記録媒体を搬送させるとともに、データベースに基づいて、画像形成部に、記録媒体に画像を形成させるものである。
【発明の効果】
【０００８】
本発明の一実施の形態における画像形成装置および画像形成方法によれば、第１の搬送期間において、第１の通信部に複数の無線タグのそれぞれと通信を行わせ、第１の通信部と複数の無線タグのそれぞれとの通信結果をデータベースに蓄積し、第１の搬送期間の後の第２の搬送期間において、データベースに基づいて、画像形成部に画像を形成させるようにしたので、ユーザの利便性を高めることができる。
【図面の簡単な説明】
【０００９】
【図１】一実施の形態に係る画像形成装置の一構成例を表す説明図である。
【図２】図１に示した記録媒体の一構成例を表す説明図である。
【図３】図１に示した画像形成装置を有する画像形成システムの一構成例を表すブロック図である。
【図４】一実施の形態に係るタグ識別子の一構成例を表す説明図である。
【図５】図４に示した識別子データベースの一構成例を表す説明図である。
【図６Ａ】図５に示したマスタテーブルの一構成例を表す説明図である。
【図６Ｂ】図５に示したロールテーブルの一構成例を表す説明図である。
【図７】第１の実施の形態に係る画像形成装置の一動作例を表すフローチャートである。
【図８】一実施の形態に係る画像形成装置の一動作例を表す説明図である。
【図９】図７に示したデータベース登録処理の一例を表すフローチャートである。
【図１０Ａ】第１の実施の形態に係る画像形成装置の一動作例を表す他のフローチャートである。
【図１０Ｂ】第１の実施の形態に係る画像形成装置の一動作例を表す他のフローチャートである。
【図１１】変形例に係る画像形成システムの一構成例を表すブロック図である。
【図１２】他の変形例に係る画像形成システムの一構成例を表すブロック図である。
【図１３Ａ】第２の実施の形態に係る画像形成装置の一動作例を表すフローチャートである。
【図１３Ｂ】第２の実施の形態に係る画像形成装置の一動作例を表す他のフローチャートである。
【図１４】図１３Ａに示したデータベース更新処理の一例を表すフローチャートである。
【図１５】図１３Ａに示したデータベース登録処理の一例を表すフローチャートである。
【発明を実施するための形態】
【００１０】
以下、本発明の実施の形態について、図面を参照して詳細に説明する。なお、説明は以下の順序で行う。
１．第１の実施の形態
２．第２の実施の形態
【００１１】
＜１．第１の実施の形態＞
［構成例］
図１は、本発明の第１の実施の形態に係る画像形成装置（画像形成装置１）の一構成例を表すものである。画像形成装置１は、例えば、いわゆるロール紙に対して、電子写真方式を用いて画像を形成するプリンタである。なお、本発明の実施の形態に係る画像形成方法は、本実施の形態により具現化されるので、併せて説明する。画像形成装置１は、媒体供給部１０と、画像形成部２０と、媒体巻取部２９とを備えている。
【００１２】
媒体供給部１０は、記録媒体９を画像形成部２０に供給するものである。媒体供給部１０には、記録媒体９が巻かれたロール８Ａが回転可能に固定されている。
【００１３】
図２は、記録媒体９の一構成例を表すものである。記録媒体９は、複数のラベル９Ｌと、台紙９Ｍとを有している。複数のラベル９Ｌは、記録媒体９の表面（ラベル面）において、記録媒体９の長手方向に並設されるとともに、台紙９Ｍに仮着されている。各ラベル９Ｌには、無線タグ９Ｔが埋め込まれている。無線タグ９Ｔは、例えば半導体チップおよびアンテナを含んで構成される。画像形成装置１は、このような記録媒体９のラベル９Ｌに画像を形成するとともに、無線タグ９Ｔの半導体チップから、タグ識別子ＩＤ（後述）を読み出し、あるいは半導体チップにデータを書き込むことができるようになっている。
【００１４】
媒体供給部１０（図１）は、搬送ローラ１１と、アンテナ１２と、切断部１３とを有している。搬送ローラ１１、アンテナ１２、および切断部１３は、記録媒体９の搬送方向Ｆ１において、搬送路７に沿ってこの順で配置されている。
【００１５】
搬送ローラ１１は、搬送路７を挟む１対のローラにより構成される部材であり、記録媒体９をロール８Ａから引き出して搬送路７に沿って搬送するものである。
【００１６】
アンテナ１２は、無線タグ９Ｔと通信を行うための部材であり、例えばＨＦ帯（短波帯）やＵＨＦ帯（極超短波帯）などの周波数帯の電波を放射するものである。無線タグ９Ｔは、アンテナ１２が放射する電波に基づいて、例えば、電磁誘導により電力を得て、通信を行う。なお、これに限定されるものではなく、無線タグ９Ｔは、アンテナ１２が放射する電波から直接電力を得て通信を行ってもよい。このようにして、画像形成装置１は、無線タグ９Ｔと通信を行うことができるようになっている。
【００１７】
切断部１３は、記録媒体９を切断する部材である。切断部１３は、記録媒体９を切断することにより、切断された記録媒体９の長さを任意の長さにすることができるようになっている。
【００１８】
画像形成部２０は、媒体供給部１０から供給された記録媒体９のラベル面に画像を形成するものである。画像形成部２０は、５つの画像形成ユニット３０（画像形成ユニット３０Ｙ，３０Ｍ，３０Ｃ，３０Ｋ，３０Ｗ）と、５つの露光部３２（露光部３２Ｙ，３２Ｍ，３２Ｃ，３２Ｋ，３２Ｗ）と、５つの１次転写ローラ３３（１次転写ローラ３３Ｙ，３３Ｍ，３３Ｃ，３３Ｋ，３３Ｗ）と、転写ベルト３４と、ドライブローラ３５と、アイドルローラ３６と、２次転写バックアップローラ３７と、アイドルローラ３８とを有している。
【００１９】
５つの画像形成ユニット３０は、トナー像をそれぞれ形成するものである。具体的には、画像形成ユニット３０Ｙは黄色のトナー像を形成するものであり、画像形成ユニット３０Ｍはマゼンタ色のトナー像を形成するものであり、画像形成ユニット３０Ｃはシアン色のトナー像を形成するものであり、画像形成ユニット３０Ｋは黒色のトナー像を形成するものであり、画像形成ユニット３０Ｗは白色のトナー像を形成するものである。画像形成ユニット３０Ｙ，３０Ｍ，３０Ｃ，３０Ｋ，３０Ｗは、転写ベルト３４の搬送方向Ｆ２において、この順で配置されている。
【００２０】
５つの画像形成ユニット３０のそれぞれは、感光体３１を有している。具体的には、画像形成ユニット３０Ｙは感光体３１Ｙを有し、画像形成ユニット３０Ｍは感光体３１Ｍを有し、画像形成ユニット３０Ｃは感光体３１Ｃを有し、画像形成ユニット３０Ｋは感光体３１Ｋを有し、画像形成ユニット３０Ｗは感光体３１Ｗを有している。各感光体３１の表面には、対応する露光部３２により露光されることにより、静電潜像が形成され、その後にトナーが供給されることにより、その静電潜像に応じたトナー像が形成（現像）されるようになっている。
【００２１】
５つの露光部３２は、５つの画像形成ユニット３０の感光体３１に対して光をそれぞれ照射する部材である。具体的には、露光部３２Ｙは感光体３１Ｙに対して光を照射し、露光部３２Ｍは感光体３１Ｍに対して光を照射し、露光部３２Ｃは感光体３１Ｃに対して光を照射し、露光部３２Ｋは感光体３１Ｋに対して光を照射し、露光部３２Ｗは感光体３１Ｗに対して光を照射するようになっている。
【００２２】
５つの１次転写ローラ３３は、５つの画像形成ユニット３０により形成されたトナー像を、転写ベルト３４の被転写面上に静電的にそれぞれ転写するための部材である。１次転写ローラ３３Ｙは、転写ベルト３４を挟んで感光体３１Ｙに対向配置されており、１次転写ローラ３３Ｍは、転写ベルト３４を挟んで感光体３１Ｍに対向配置されており、１次転写ローラ３３Ｃは、転写ベルト３４を挟んで感光体３１Ｃに対向配置されており、１次転写ローラ３３Ｋは、転写ベルト３４を挟んで感光体３１Ｋに対向配置されており、１次転写ローラ３３Ｗは、転写ベルト３４を挟んで感光体３１Ｗに対向配置されている。各１次転写ローラ３３には、所定の１次転写電圧が印加される。これにより、画像形成装置１では、各画像形成ユニット３０により形成されたトナー像が、転写ベルト３４の被転写面上に転写（１次転写）されるようになっている。
【００２３】
転写ベルト３４は、被転写面においてトナー像を担持するとともに、トナー像を２次転写部２３（後述）に搬送する部材である。転写ベルト３４は、例えば、高抵抗の半導電性プラスチックフィルムにより構成される、無端の弾性ベルトである。転写ベルト３４は、ドライブローラ３５、アイドルローラ３６、２次転写バックアップローラ３７、およびアイドルローラ３８によって張設（張架）されている。そして、転写ベルト３４は、ドライブローラ３５の回転に応じて、循環搬送されるようになっている。
【００２４】
ドライブローラ３５は、転写ベルト３４を循環搬送させる部材である。この例では、ドライブローラ３５は、転写ベルト３４の搬送方向Ｆ２において、５つの画像形成ユニット３０の上流に配置され、図示しない転写ベルトモータから伝達された動力により、この例では時計回りで回転する。これにより、ドライブローラ３５は、転写ベルト３４を搬送方向Ｆ２に循環搬送するようになっている。
【００２５】
アイドルローラ３６は、転写ベルト３４の循環搬送に応じて、この例では時計回りで従動回転する部材である。この例では、アイドルローラ３６は、転写ベルト３４の搬送方向Ｆ２において、５つの画像形成ユニット３０の下流に配置されている。
【００２６】
２次転写バックアップローラ３７は、転写ベルト３４の循環搬送に応じて、この例では時計回りで従動回転する部材である。２次転写バックアップローラ３７は、搬送路７および転写ベルト３４を挟んで、２次転写ローラ２２（後述）と対向配置されている。２次転写バックアップローラ３７は、２次転写ローラ２２とともに、２次転写部２３を構成している。
【００２７】
アイドルローラ３８は、転写ベルト３４の循環搬送に応じて、この例では反時計回りで従動回転するものである。アイドルローラ３８は、転写ベルト３４の搬送方向Ｆ２において、２次転写部２３の下流に配置されている。
【００２８】
画像形成部２０は、さらに、搬送ローラ２１と、２次転写ローラ２２と、定着部２４と、搬送ローラ２７とを有している。
【００２９】
搬送ローラ２１は、搬送路７を挟む１対のローラにより構成される部材であり、媒体供給部１０から供給された記録媒体９を、搬送路７に沿って２次転写部２３に向かって搬送するものである。
【００３０】
２次転写ローラ２２は、転写ベルト３４の被転写面上のトナー像を、記録媒体９のラベル９Ｌに転写するための部材である。２次転写ローラ２２は、搬送路７および転写ベルト３４を挟んで、２次転写バックアップローラ３７に対向配置されている。２次転写ローラ２２は、２次転写バックアップローラ３７とともに、２次転写部２３を構成している。２次転写ローラ２２には、所定の２次転写電圧が印加される。これにより、画像形成装置１では、転写ベルト３４の被転写面上のトナー像が、記録媒体９のラベル９Ｌに転写（２次転写）されるようになっている。
【００３１】
この２次転写部２３では、後述するように、搬送モードＭ１において、図１に示したように、２次転写ローラ２２および２次転写バックアップローラ３７が互いに近づき、搬送モードＭ２において、２次転写ローラ２２および２次転写バックアップローラ３７が互いに離れるようになっている。
【００３２】
定着部２４は、記録媒体９に対し熱および圧力を付与することにより、記録媒体９上に転写されたトナー像を記録媒体９に定着させる部材である。定着部２４は、ヒートローラ２５と、加圧ローラ２６とを有している。ヒートローラ２５は、例えば、その内部にハロゲンランプ等の加熱ヒータを含んで構成されており、記録媒体９上のトナーに対して熱を付与する部材である。加圧ローラ２６は、ヒートローラ２５との間に圧接部が形成されるように配置されており、記録媒体９上のトナーに対して圧力を付与する部材である。これにより、定着部２４では、記録媒体９上のトナーが、加熱され、融解し、加圧される。その結果、トナー像が記録媒体９上に定着するようになっている。
【００３３】
この定着部２４では、後述するように、搬送モードＭ１において、図１に示したように、ヒートローラ２５および加圧ローラ２６が互いに近づき、搬送モードＭ２において、ヒートローラ２５および加圧ローラ２６が互いに離れるようになっている。
【００３４】
搬送ローラ２７は、搬送路７を挟む１対のローラにより構成される部材であり、記録媒体９を、搬送路７に沿って媒体巻取部２９に向かって搬送するものである。
【００３５】
媒体巻取部２９は、画像形成部２０から供給された記録媒体９を巻き取る部材である。媒体巻取部２９には、ロール８Ｂが回転可能に固定されており、図示しない巻取モータによりロール８Ｂが回転することにより、記録媒体９がロール８Ｂに巻き取られるようになっている。
【００３６】
図３は、画像形成装置１を有する画像形成システム１００の一構成例を表すものである。画像形成システム１００は、画像形成装置１に加え、情報処理装置１１０を有している。情報処理装置１１０は、この例では、ＬＡＮ（Local Area Network）などのネットワークＮＥＴを介して画像形成装置１に接続されている。なお、これに限定されるものではなく、例えば、ＵＳＢ（Universal Serial Bus）を用いて画像形成装置１に接続してもよい。
【００３７】
情報処理装置１１０は、例えば、パーソナルコンピュータであり、ＣＰＵ（Central Processing Unit）、ＲＡＭ（Random Access Memory）、ハードディスクなどを用いて構成されるものである。情報処理装置１１０には、オペレーティングシステムに加え、アプリケーションソフトウェア１１１、プリンタドライバ１１２などがインストールされている。アプリケーションソフトウェア１１１は、画像形成装置１で印刷される文書や画像などを作成するものである。ユーザは、このアプリケーションソフトウェア１１１を使用することにより、例えば、ラベル９Ｌごとに互いに異なる文書や画像などを作成することができる。プリンタドライバ１１２は、アプリケーションソフトウェア１１１により作成された文書や画像についてのアプリケーションデータに基づいて、画像形成装置１が解釈可能なコマンドを含む印刷データＤＰを生成するものである。情報処理装置１１０は、このようにして生成した印刷データＤＰを、画像形成装置１に対して送信するようになっている。
【００３８】
画像形成装置１は、通信部４１と、コマンド解析部４２と、操作部４３と、表示部４４と、画像形成制御部４５と、リーダライタ４６と、タグ識別子管理部４７と、制御部４８とを有している。
【００３９】
通信部４１は、この例では、ネットワークＮＥＴを介して情報処理装置１１０との間で通信を行うものであり、情報処理装置１１０から送信された印刷データＤＰを受信するものである。コマンド解析部４２は、印刷データＤＰに含まれるコマンドを解析するものである。
【００４０】
操作部４３は、ユーザの操作を受け付けるものであり、例えば各種ボタンやタッチパネルなどを用いて構成されるものである。表示部４４は、画像形成装置１の動作状態などを表示するものであり、例えば、液晶ディスプレイや各種インジケータを用いて構成されるものである。
【００４１】
画像形成制御部４５は、制御部４８からの指示に基づいて、画像形成装置１における画像形成動作および記録媒体９の搬送動作を制御するものである。
【００４２】
リーダライタ４６は、アンテナ１２を用いて無線タグ９Ｔからデータを読み出し、あるいは無線タグ９Ｔに対してデータを書き込むものである。この例では、リーダライタ４６は、無線タグ９Ｔのそれぞれから、無線タグ９Ｔに記憶されたタグ識別子ＩＤを読み出すようになっている。
【００４３】
図４は、無線タグ９Ｔに記憶されたタグ識別子ＩＤの一例を表すものである。このタグ識別子ＩＤは、ＥＰＣ  Ｃｌａｓｓ１  Ｇｅｎ２規格におけるＸＴＩＤ（Extended Tag Identification）を用いたものである。このタグ識別子ＩＤは、３２ビット分のショートＴＩＤ（００ｈ〜１Ｆｈ）と、１６ビット分のＸＴＩＤヘッダ（２０ｈ〜２Ｆｈ）と、４８ビット分のシリアル番号ＳＮ（３０ｈ〜５Ｆｈ）とを含んでいる。ショートＴＩＤは、１２ビット分のタグＭＤＩＤと、１２ビット分のモデル番号（TAG MODEL NUMBER）とを含んでいる。タグＭＤＩＤは、無線タグ９Ｔの半導体チップを製造する製造業者を示す識別子である。モデル番号は、例えば無線タグ９Ｔの半導体チップの品種を示す識別子である。
【００４４】
例えば、１つのロール８における全ての無線タグ９Ｔでは、タグＭＤＩＤおよびモデル番号は同じであるが、シリアル番号ＳＮは互いに異なる。このように、タグ識別子ＩＤは、無線タグ９Ｔのそれぞれに固有の識別子であるので、タグ識別子ＩＤを用いて、無線タグ９Ｔを識別することができる。
【００４５】
画像形成装置１は、後述するように、印刷に先立ち、記録媒体９の複数の無線タグ９Ｔと通信を行うことにより、タグ識別子ＩＤをそれぞれ読み出す。そして、画像形成装置１は、無線タグ９Ｔからタグ識別子ＩＤを読み出すことができたかどうかに基づいて、その無線タグ９Ｔが機能するか機能しないかを確認するようになっている。
【００４６】
タグ識別子管理部４７は、記録媒体９の複数の無線タグ９Ｔから読み出したタグ識別子ＩＤを識別子データベースＤＢに蓄積し管理するものである。タグ識別子管理部４７は、例えば、フラッシュメモリやＨＤＤ（Hard Disk Drive）などの不揮発性の記憶装置を有しており、この不揮発性の記憶装置に識別子データベースＤＢを記憶させるようになっている。
【００４７】
図５は、識別子データベースＤＢを模式的に表すものである。識別子データベースＤＢは、１つのマスタテーブルＭＴと、１または複数のロールテーブルＲＴとを有している。  図６Ａは、マスタテーブルＭＴの一例を表すものであり、図６Ｂは、ロールテーブルＲＴの一例を表すものである。
【００４８】
マスタテーブルＭＴは、１または複数のロールテーブルＲＴを管理するためのものである。マスタテーブルＭＴには、ロール８を管理するためのロール番号、ロール８における機能する無線タグ９Ｔの数、ロール８における機能しない無線タグ９Ｔの数、タグＭＤＩＤ、モデル番号、ロールテーブルＲＴのロールテーブル番号が記録されている。
【００４９】
ロールテーブルＲＴは、１つのロール８における複数の無線タグ９Ｔのそれぞれについての情報を管理するためのものである。ロールテーブルＲＴのそれぞれには、マスタテーブルＭＴに記載されたロールテーブル番号と同じロールテーブル番号（この例ではTbl#00000001）が付されている。これにより、タグ識別子管理部４７は、マスタテーブルＭＴを介して、セットされたロール８に対応するロールテーブルＲＴにアクセスできるようになっている。ロールテーブルＲＴには、ロール８における各無線タグ９Ｔ（各ラベル９Ｌ）に対応するページ番号ＰＮ（Page Number）、各無線タグ９ＴのステータスＳ、各無線タグ９Ｔのシリアル番号ＳＮ（Serial Number Segment[47:0]）が記録されている。無線タグ９ＴのステータスＳは、この例では、“機能する（Functional）”、“機能しない（Non-functional）”、“印刷済（Printed）”のいずれかが設定されるようになっている。
【００５０】
この構成により、タグ識別子管理部４７は、ロール８に含まれる複数の無線タグ９ＴのステータスＳ、タグ識別子ＩＤ（タグＭＤＩＤ、モデル番号、シリアル番号ＳＮ）など、ロール８についての様々な情報を蓄積して管理するようになっている。
【００５１】
制御部４８は、画像形成装置１内の各ブロックの動作を制御することにより、画像形成装置１の全体動作を制御するものである。制御部４８の機能は、例えば、ハードウェアを用いて実現してもよいし、ソフトウェアを用いて実現してもよい。
【００５２】
ここで、搬送ローラ１１，２１，２７は、本発明における「搬送部」の一具体例に対応する。リーダライタ４６およびアンテナ１２は、本発明における「第１の通信部」の一具体例に対応する。通信部４１は、本発明における「第２の通信部」の一具体例に対応する。５つの画像形成ユニット３０、５つの露光部３２、５つの１次転写ローラ３３、転写ベルト３４、および２次転写ローラ２２は、本発明における「画像形成部」の一具体例に対応する。制御部４８、画像形成制御部４５、およびタグ識別子管理部４７は、本発明における「制御部」の一具体例に対応する。ステータスＳは、本発明における「第１の情報」の一具体例に対応する。シリアル番号ＳＮは、本発明における「第２の情報」の一具体例に対応する。ページ番号ＰＮは、本発明における「並び番号」の一具体例に対応する。
【００５３】
［動作および作用］
続いて、本実施の形態の画像形成装置１の動作および作用について説明する。
【００５４】
（全体動作概要）
まず、図１，３を参照して、画像形成装置１の全体動作概要を説明する。まず、ロール８がロール８Ａとして媒体供給部１０にセットされると、画像形成装置１は、ロール８Ａから記録媒体９を引き出し、記録媒体９の複数の無線タグ９Ｔからタグ識別子ＩＤをそれぞれ読み出す。タグ識別子管理部４７は、そのロール８Ａに対応するロールテーブルＲＴを生成し、このロール８Ａについての情報をロールテーブルＲＴに登録する。具体的には、タグ識別子管理部４７は、無線タグ９Ｔからタグ識別子ＩＤを読み出すことができた場合には、ロールテーブルＲＴにおいて、その無線タグ９ＴのステータスＳを“機能する（Functional）”に設定するとともに、タグ識別子ＩＤのシリアル番号ＳＮを登録する。また、タグ識別子管理部４７は、無線タグ９Ｔからタグ識別子ＩＤを読み出すことができなかった場合には、ロールテーブルＲＴにおいて、その無線タグ９ＴのステータスＳを“機能しない（Non-functional）”に設定する。そして、タグ識別子管理部４７は、そのロールテーブルＲＴを、機能する無線タグ９Ｔの数、機能しない無線タグ９Ｔの数、タグ識別子ＩＤのタグＭＤＩＤ、およびタグ識別子ＩＤのモデル番号とともに、マスタテーブルＭＴに登録する。媒体巻取部２９は、記録媒体９をロール８Ｂに巻き取る。このロール８Ｂは、ユーザにより、媒体巻取部２９から取り外され、ロール８Ａとして媒体供給部１０にセットされる。
【００５５】
そして、通信部４１が情報処理装置１１０から印刷データＤＰを受信すると、まず、コマンド解析部４２が、印刷データＤＰに含まれるコマンドを解析し、制御部４８が、その解析結果に基づいて画像形成装置１の動作を制御する。画像形成装置１は、ロール８Ａから記録媒体９を引き出し、例えばロール８Ａの先頭の無線タグ９Ｔからタグ識別子ＩＤを読み出す。タグ識別子管理部４７は、このタグ識別子ＩＤに基づいて、ロール８Ａが識別子データベースＤＢに登録されているかどうかを確認する。そして、ロール８Ａが識別子データベースＤＢに登録されている場合には、画像形成装置１は、ステータスＳが“機能する（Functional）”である無線タグ９Ｔに対応するラベル９Ｌに対して、印刷データＤＰに基づいて画像を形成する。
【００５６】
（詳細動作）
まず、ロール８がロール８Ａとして媒体供給部１０にセットされると、画像形成装置１は、ロール８Ａから記録媒体９を引き出し、記録媒体９の複数の無線タグ９Ｔからタグ識別子ＩＤをそれぞれ読み出す。そして、タグ識別子管理部４７は、このロール８Ａについての情報をロールテーブルＲＴに登録する。以下に、この動作について詳細に説明する。
【００５７】
図７は、ロール８Ａについての情報をロールテーブルＲＴに登録する動作を表すものである。
【００５８】
まず、画像形成装置１は、ロール８Ａが媒体供給部１０にセットされているかどうかを検出する（ステップＳ１０１）。そして、画像形成装置１は、ロール８ＡがセットされるまでこのステップＳ１０１を繰り返す。
【００５９】
ステップＳ１０１においてロール８Ａがセットされている場合（ステップＳ１０１において“Ｙ”）には、画像形成装置１は、画像形成制御部４５からの指示に基づいて、ロール８Ａから記録媒体９を引き出して、先頭の無線タグ９Ｔがアンテナ１２の付近に位置するまで記録媒体９を搬送する（ステップＳ１０２）。そして、画像形成装置１は、記録媒体９の搬送を一旦停止する。
【００６０】
次に、リーダライタ４６は、アンテナ１２を介して、無線タグ９Ｔからタグ識別子ＩＤを読み出す（ステップＳ１０３）。
【００６１】
次に、タグ識別子管理部４７は、ステップＳ１０３において読み出したタグ識別子ＩＤが、識別子データベースＤＢにすでに登録されているかどうかを確認する（ステップＳ１０４）。具体的には、タグ識別子管理部４７は、まず、タグ識別子ＩＤに含まれるタグＭＤＩＤおよびモデル番号が、識別子データベースＤＢのマスタテーブルＭＴに登録されているかどうかを確認する。そして、タグＭＤＩＤおよびモデル番号がマスタテーブルＭＴに登録されている場合には、タグ識別子管理部４７は、マスタテーブルＭＴに基づいて、そのタグＭＤＩＤおよびモデル番号に対応するロールテーブル番号を取得する。そして、タグ識別子管理部４７は、そのロールテーブル番号に対応するロールテーブルＲＴに、タグ識別子ＩＤに、タグ識別子ＩＤに含まれるシリアル番号ＳＮが登録されているかどうかを確認する。タグ識別子ＩＤが、識別子データベースＤＢにすでに登録されている場合（ステップＳ１０４において“Ｙ”）には、このフローは終了する。
【００６２】
ステップＳ１０４において、タグ識別子ＩＤが、識別子データベースＤＢにまだ登録されていない場合（ステップＳ１０４において“Ｎ”）には、表示部４４は、制御部４８からの指示に基づいて、ロール８Ａについての情報を識別子データベースＤＢに登録するかどうかをユーザに問い合わせるメッセージを表示し、操作部４３は、ユーザからの指示を待つ（ステップＳ１０５）。ユーザからの指示が、ロール８Ａについての情報を登録しない旨を指示するものである場合（ステップＳ１０６において“Ｎ”）には、このフローは終了する
【００６３】
ステップＳ１０６において、ユーザからの指示が、ロール８Ａについての情報を登録する旨を指示するものである場合（ステップＳ１０６において“Ｙ”）には、画像形成装置１は、画像形成制御部４５からの指示に基づいて、搬送モードを搬送モードＭ２に切り替える（ステップＳ１０７）。
【００６４】
図８は、搬送モードＭ２における画像形成装置１の状態を表すものである。搬送モードＭ２では、画像形成装置１は、２次転写部２３の２次転写ローラ２２および２次転写バックアップローラ３７を互いに離すとともに、定着部２４のヒートローラ２５および加圧ローラ２６を互いに離す。この例では、２次転写部２３では、２次転写バックアップローラ３７を上方に移動させることにより、２次転写ローラ２２および２次転写バックアップローラ３７を互いに離している。また、定着部２４では、ヒートローラ２５を上方に移動させることにより、ヒートローラ２５および加圧ローラ２６を互いに離している。
【００６５】
なお、この例では、２次転写バックアップローラ３７およびヒートローラ２５を上方に移動させたが、これに限定されるものではない。例えば、２次転写部２３において、２次転写バックアップローラ３７を上方に移動させるとともに、２次転写ローラ２２を下方に移動させることにより、２次転写ローラ２２および２次転写バックアップローラ３７を互いに離してもよい。同様に、例えば、定着部２４において、ヒートローラ２５を上方に移動させるとともに、加圧ローラ２６を下方に移動させることにより、ヒートローラ２５および加圧ローラ２６を互いに離してもよい。
【００６６】
次に、画像形成装置１は、データベース登録処理を行う（ステップＳ１０８）。
【００６７】
図９は、ステップＳ１０８に示したデータベース登録処理のサブルーチンを表すものである。
【００６８】
まず、タグ識別子管理部４７は、現在セットされているロール８Ａに対応する新しいロールテーブルＲＴを生成する（ステップＳ１１１）。
【００６９】
次に、リーダライタ４６は、アンテナ１２を介して、無線タグ９Ｔからタグ識別子ＩＤを読み出す（ステップＳ１１２）。なお、処理対象の無線タグ９Ｔが先頭の無線タグ９Ｔである場合には、すでにステップＳ１０３において無線タグ９Ｔからタグ識別子ＩＤを読み出しているので、このステップＳ１１２においてタグ識別子ＩＤを読み出さなくてもよい。
【００７０】
次に、リーダライタ４６は、無線タグ９Ｔからタグ識別子ＩＤを読み出すことができたかどうかを確認する（ステップＳ１１３）。
【００７１】
ステップＳ１１３において、タグ識別子ＩＤを読み出すことができた場合（ステップＳ１１３において“Ｙ”）には、タグ識別子管理部４７は、ロールテーブルＲＴに、処理対象である無線タグ９Ｔに対応するページ番号ＰＮを登録する（ステップＳ１１４）。処理対象である無線タグ９Ｔが先頭の無線タグ９Ｔである場合には、タグ識別子管理部４７は、ページ番号ＰＮを例えば“１”にする。次に、タグ識別子管理部４７は、ロールテーブルＲＴにおいて、無線タグ９ＴのステータスＳを“機能する（Functional）”に設定し（ステップＳ１１５）、無線タグ９Ｔから読み出したタグ識別子ＩＤに含まれるシリアル番号ＳＮをそのロールテーブルＲＴに登録する（ステップＳ１１６）。そして、ステップＳ１１９に進む。
【００７２】
ステップＳ１１３において、タグ識別子ＩＤを読み出すことができなかった場合（ステップＳ１１３において“Ｎ”）には、タグ識別子管理部４７は、ロールテーブルＲＴに、処理対象である無線タグ９Ｔに対応するページ番号ＰＮを登録し（ステップＳ１１７）、無線タグ９ＴのステータスＳを“機能しない（Non-functional）”に設定する（ステップＳ１１８）。そして、ステップＳ１１９に進む。
【００７３】
次に、タグ識別子管理部４７は、ページ番号ＰＮをインクリメントし（ステップＳ１１９）、画像形成装置１は、画像形成制御部４５からの指示に基づいて、次の無線タグ９Ｔがアンテナ１２の付近に位置するまで記録媒体９を搬送する（ステップＳ１２０）。次の無線タグ９Ｔがある場合（ステップＳ１２１において“Ｙ”）には、画像形成装置１は、記録媒体９の搬送を一旦停止し、ステップＳ１１２に戻る。そして、画像形成装置１は、ロール８Ａにおける全ての無線タグ９Ｔに対する処理が終了するまで、ステップＳ１１２〜Ｓ１２１の動作を繰り返す。
【００７４】
ステップＳ１２１において、次の無線タグ９Ｔがない場合（ステップＳ１２１において“Ｎ”）には、タグ識別子管理部４７は、ロールテーブルＲＴを、機能する無線タグ９Ｔの数、機能しない無線タグ９Ｔの数、タグ識別子ＩＤのタグＭＤＩＤ、およびタグ識別子ＩＤのモデル番号とともに、マスタテーブルＭＴに登録する（ステップＳ１２２）。
【００７５】
以上で、このデータベース登録処理のサブルーチン（図９）は終了する。これにより、ロールテーブルＲＴには、ロール８Ａの全ての無線タグ９Ｔについての情報が登録される。ロールテーブルＲＴにおいて、無線タグ９ＴのステータスＳは、この時点では、図６Ｂに示したように、“機能する（Functional）”または“機能しない（Non-functional）”に設定される。
【００７６】
次に、図７に示したように、画像形成装置１は、画像形成制御部４５からの指示に基づいて、搬送モードを搬送モードＭ１に切り替える（ステップＳ１０９）。すなわち、画像形成装置１は、図１に示したように、２次転写部２３の２次転写ローラ２２および２次転写バックアップローラ３７を互いに近付け、定着部２４のヒートローラ２５および加圧ローラ２６を互いに近付ける。
【００７７】
以上で、このフローは終了する。
【００７８】
画像形成装置１では、このようにして、セットされたロール８Ａにおける全ての無線タグ９Ｔについての情報が識別子データベースＤＢに登録される。記録媒体９は、媒体巻取部２９により、ロール８Ｂに巻き取られる。その後、このロール８Ｂは、ユーザにより媒体巻取部２９から取り外され、ロール８Ａとして媒体供給部１０にセットされる。この新たなロール８Ａにおける複数の無線タグ９Ｔの並び順は、タグ識別子ＩＤを識別子データベースＤＢに登録する前のロール８Ａにおける複数の無線タグ９Ｔの並び順と反対になる。
【００７９】
そして、通信部４１が情報処理装置１１０から印刷データＤＰを受信すると、画像形成装置１は、印刷データＤＰおよび識別子データベースＤＢに基づいて、ロール８Ａの各ラベル９Ｌに画像を形成する。以下に、この動作について詳細に説明する。
【００８０】
図１０Ａ，１０Ｂは、ロール８Ａの各ラベル９Ｌに画像を形成する動作を表すものである。
【００８１】
通信部４１が情報処理装置１１０から印刷データＤＰを受信すると、まず、画像形成装置１は、ロール８Ａが媒体供給部１０にセットされているかどうかを検出する（ステップＳ１３１）。そして、画像形成装置１は、ロール８ＡがセットされるまでこのステップＳ１３１を繰り返す。
【００８２】
ステップＳ１３１においてロール８Ａがセットされている場合（ステップＳ１３１において“Ｙ”）には、リーダライタ４６は、アンテナ１２を介して、無線タグ９Ｔからタグ識別子ＩＤを読み出す（ステップＳ１３２）。具体的には、まず、画像形成装置１は、画像形成制御部４５からの指示に基づいて、ロール８Ａから記録媒体９を引き出して、先頭の無線タグ９Ｔがアンテナ１２の付近に位置するまで記録媒体９を搬送する。そして、リーダライタ４６は、アンテナ１２を介して、無線タグ９Ｔからタグ識別子ＩＤを読み出す。
【００８３】
次に、タグ識別子管理部４７は、ステップＳ１３２において読み出したタグ識別子ＩＤが、識別子データベースＤＢにすでに登録されているかどうかを確認する（ステップＳ１３３）。タグ識別子ＩＤが識別子データベースＤＢに登録されていない場合（ステップＳ１３３において“Ｎ”）には、ステップＳ１５１に進む。
【００８４】
ステップＳ１３３において、タグ識別子ＩＤが識別子データベースＤＢにすでに登録されている場合（ステップＳ１３３において“Ｙ”）には、タグ識別子管理部４７は、識別子データベースＤＢに登録されている、そのタグ識別子ＩＤに含まれるシリアル番号ＳＮに対応するページ番号ＰＮを取得する（ステップＳ１３４）。このページ番号ＰＮは、例えば、ロール８Ａに対応するロールテーブルＲＴに登録された複数のページ番号ＰＮのうちの最大値である。すなわち、ロール８Ａにおける複数の無線タグ９Ｔの順番の変更に伴い、ロール８Ａにおける先頭の無線タグ９Ｔに対応するページ番号ＰＮは、ロールテーブルＲＴに登録された複数のページ番号ＰＮのうちの最大値になる。
【００８５】
そして、画像形成装置１は、これ以降、記録媒体９を搬送し続ける。
【００８６】
次に、タグ識別子管理部４７は、ロールテーブルＲＴに基づいて、処理対象であるページ番号ＰＮに対応する無線タグ９ＴのステータスＳが“機能する（Functional）”であるかどうかを確認する（ステップＳ１３５）。
【００８７】
ステップＳ１３５において、無線タグ９ＴのステータスＳが“機能する（Functional）”である場合（ステップＳ１３５において“Ｙ”）には、画像形成部２０は、画像形成制御部４５からの指示に基づいて、印刷データＤＰに含まれる、そのページ番号ＰＮに対応するページデータに基づいて、その無線タグ９Ｔに対応するラベル９Ｌに対して画像形成動作を行う（ステップＳ１３６）。すなわち、無線タグ９ＴのステータスＳが“機能する（Functional）”である場合には、その無線タグ９Ｔは良品であるので、画像形成部２０は、その無線タグ９Ｔに対応するラベル９Ｌに対して画像形成動作を行う。そして、タグ識別子管理部４７は、ロールテーブルＲＴにおいて、そのページ番号ＰＮに対応する無線タグ９ＴのステータスＳを“印刷済（Printed）”に設定する（ステップＳ１３７）。そして、ステップＳ１３９に進む。
【００８８】
ステップＳ１３５において、無線タグ９ＴのステータスＳが“機能しない（Non-functional）”である場合（ステップＳ１３５において“Ｎ”）には、画像形成部２０は、画像形成制御部４５からの指示に基づいて、空白ページデータに基づいて、その無線タグ９Ｔに対応するラベル９Ｌに対して画像形成動作を行う（ステップＳ１３８）。すなわち、無線タグ９ＴのステータスＳが“機能しない（Non-functional）”である場合には、その無線タグ９Ｔは不良品であるので、画像形成部２０は、印刷データＤＰに含まれる、そのページ番号ＰＮに対応するページデータを破棄して、空白ページデータに基づいて画像形成動作を行う。そして、ステップＳ１３９に進む。
【００８９】
次に、制御部４８は、印刷データＤＰに含まれる全てのページを処理したかどうかを確認する（ステップＳ１３９）。全てのページを処理した場合（ステップＳ１３９において“Ｙ”）には、このフローは終了する。
【００９０】
ステップＳ１３９において、印刷データＤＰに含まれる全てのページを処理していない場合（ステップＳ１３９において“Ｎ”）には、タグ識別子管理部４７は、ページ番号ＰＮをデクリメントする（ステップＳ１４０）。
【００９１】
次に、タグ識別子管理部４７は、デクリメントした後のページ番号ＰＮがロールテーブルＲＴに登録されているかどうかを確認する（ステップＳ１４１）。ページ番号ＰＮが登録されている場合（ステップＳ１４１において“Ｙ”）には、ステップＳ１３５に戻る。
【００９２】
ステップＳ１４１において、ページ番号ＰＮが登録されていない場合（ステップＳ１４１において“Ｎ”）には、切断部１３は、制御部４８からの指示に基づいて記録媒体９を切断し、画像形成装置１は記録媒体９を排出する（ステップＳ１４２）。そして、表示部４４は、新たなロール８を媒体供給部１０にセットすることをユーザに促すメッセージを表示する（ステップＳ１４３）。そして、ステップＳ１３１に戻る。
【００９３】
ステップＳ１３３（図１０Ａ）において、タグ識別子ＩＤが識別子データベースＤＢに登録されていない場合（ステップＳ１３３において“Ｎ”）には、表示部４４は、制御部４８からの指示に基づいて、ロール８Ａについての情報を識別子データベースＤＢに登録するかどうかをユーザに問い合わせるメッセージを表示し、操作部４３は、ユーザからの指示を待つ（ステップＳ１５１）。ユーザからの指示が、ロール８Ａについての情報を登録する旨を指示するものである場合（ステップＳ１５２において“Ｙ”）には、画像形成装置１は、画像形成制御部４５からの指示に基づいて、搬送モードを搬送モードＭ２に切り替え（ステップＳ１５３）、データベース登録処理を行う（ステップＳ１５４）。このデータベース登録処理は、図９に示したデータベース登録処理と同じである。そして、画像形成装置１は、画像形成制御部４５からの指示に基づいて、搬送モードを搬送モードＭ１に切り替え（ステップＳ１５５）、表示部４４は、媒体巻取部２９からロール８Ｂを取り外して、そのロール８Ｂをロール８Ａとして媒体供給部１０にセットすることをユーザに促すメッセージを表示する（ステップＳ１５６）。そして、ステップＳ１３１に戻る。
【００９４】
ステップＳ１５２において、ユーザからの指示が、ロール８Ａについての情報を登録しない旨を指示するものである場合（ステップＳ１５２において“Ｎ”）には、表示部４４は、制御部４８からの指示に基づいて、強制印刷を行うかどうかをユーザに問い合わせるメッセージを表示し、操作部４３は、ユーザからの指示を待つ（ステップＳ１６１）。ユーザからの指示が、強制印刷を行わない旨を指示するものである場合（ステップＳ１６２において“Ｎ”）には、ジョブをキャンセルし（ステップＳ１６３）、このフローを終了する。
【００９５】
ステップＳ１６２において、ユーザからの指示が、強制印刷を行う旨を指示するものである場合（ステップＳ１６２において“Ｙ”）には、画像形成部２０は、画像形成制御部４５からの指示に基づいて、印刷データＤＰに含まれるページデータに基づいて、ラベル９Ｌに画像を形成する（ステップＳ１６４）。すなわち、画像形成部２０は、無線タグ９Ｔが良品および不良品のどちらであるかにかかわらず、印刷データＤＰに含まれるページデータに基づいて、各無線タグ９Ｔに対応するラベル９Ｌに対して画像形成動作を行う。
【００９６】
次に、制御部４８は、印刷データＤＰに含まれる全てのページを処理したかどうかを確認する（ステップＳ１６５）。まだ全てのページを処理していない場合（ステップＳ１６５において“Ｙ”）には、ステップＳ１６４に戻る。そして、画像形成部２０は、印刷データＤＰに含まれる全てのページデータに基づいて画像形成動作を行うまで、ステップＳ１６４，Ｓ１６５を繰り返す。
【００９７】
以上で、このフローは終了する。
【００９８】
このように、画像形成装置１では、無線タグ９Ｔからタグ識別子ＩＤを読み出すことにより無線タグ９Ｔが良品または不良品のどちらであるかを確認し、その確認結果を識別子データベースＤＢに登録した。そして、その後に、印刷データＤＰを受信し、この印刷データＤＰに基づいて、この識別子データベースＤＢを用いて、画像形成動作を行うようにした。これにより、画像形成装置１では、良品である無線タグ９Ｔに対応するラベル９Ｌに対して、ページデータに基づいて画像形成動作を行い、不良品である無線タグ９Ｔに対応するラベル９Ｌに対して、空白ページデータに基づいて画像形成動作を行う。その結果、画像形成装置１では、不良品である無線タグ９Ｔに対応するラベル９Ｌにはトナーが消費されないので、トナーの消費量を抑えることができる。また、このように、画像形成装置１では、不良品である無線タグ９Ｔに対応するラベル９Ｌに対して、空白ページデータに基づいて画像形成動作を行うため、ユーザは、ラベル９Ｌを見ることにより無線タグ９Ｔが良品または不良品のどちらであるかを視覚的に確認することができる。その結果、画像形成装置１では、ユーザの利便性を高めることができる。
【００９９】
また、画像形成装置１では、識別子データベースＤＢを、画像形成装置１に内蔵している不揮発性の記憶装置に記憶させるようにしたので、ユーザの利便性を高めることができる。すなわち、例えば、識別子データベースを、記録媒体の複数の無線タグのうちの先頭の無線タグに記憶させるようにした場合には、無線タグの記憶容量が小さいため、無線タグが識別子データベースの全てを記憶できないおそれがある。また、例えば、識別子データベースを複数に分けて、複数の無線タグに記憶させるようにした場合には、処理が複雑になるおそれがある。また、無線タグにデータを書き込む際の書き込み回数に制限がある場合には、その後の無線タグの使用が制限されてしまう。特に、１回しかデータを書き込むことができない無線タグでは、その後、無線タグにデータを書き込むことができなくなってしまう。また、ロールにおける一部のラベルのみを過去に使用した場合において、残りのラベルに印刷を行おうとした場合には、識別子データベースが記憶された無線タグに対応するラベルはすでに使用されているため、識別子データベースを利用することができなくなってしまう。
【０１００】
一方、画像形成装置１では、画像形成装置１に内蔵している不揮発性の記憶装置に、識別子データベースＤＢを記憶させるようにした。これにより、識別子データベースＤＢのデータサイズが大きい場合でも、例えば識別子データベースＤＢを複数に分けることなく、画像形成装置１に記憶させることができる。また、無線タグ９Ｔにデータを書き込む際の書き込み回数に制限がある場合にも、その後の無線タグ９Ｔの使用が制限されるおそれを低減することができる。また、ロール８における一部のラベルのみを過去に使用した場合において、残りのラベルに印刷を行おうとした場合には、画像形成装置１に記憶された識別子データベースＤＢを利用することができる。その結果、画像形成装置１では、ユーザの利便性を高めることができる。
【０１０１】
また、画像形成装置１では、ロール８Ａについての情報を識別子データベースＤＢに登録する場合には、搬送モードＭ２で動作し、２次転写ローラ２２および２次転写バックアップローラ３７を互いに離すとともに、ヒートローラ２５および加圧ローラ２６を互いに離すようにした。これにより、画像形成装置１では、記録媒体９にダメージを与えるおそれを低減することができる。すなわち、ロール８Ａについての情報を識別子データベースＤＢに登録する場合には、記録媒体９の搬送動作を間欠的に行う。リーダライタ４６が無線タグ９Ｔと通信を行う場合には、記録媒体９の搬送動作を一旦停止するからである。このような間欠的な搬送動作では、ローラが記録媒体９と接触することにより、記録媒体９にダメージを与えるおそれがある。画像形成装置１では、２次転写ローラ２２および２次転写バックアップローラ３７を互いに離すとともに、ヒートローラ２５および加圧ローラ２６を互いに離すようにしたので、記録媒体９とこれらのローラとの接触を少なくすることができるので、記録媒体９にダメージを与えるおそれを低減することができる。特に、この例では、２次転写バックアップローラ３７およびヒートローラ２５を上方に移動させるようにしたので、例えば、記録媒体９のラベル面がよごれるおそれを低減することができ、また、ラベル９Ｌが台紙９Ｍからはがれるおそれを低減することができる。
【０１０２】
［効果］
以上のように本実施の形態では、無線タグが良品または不良品のどちらであるかを確認し、その確認結果を識別子データベースに登録し、この識別子データベースに基づいて画像形成動作を行うようにしたので、ユーザの利便性を高めることができる。
【０１０３】
本実施の形態では、画像形成装置に内蔵している不揮発性の記憶装置に記憶させるようにしたので、ユーザの利便性を高めることができる。
【０１０４】
本実施の形態では、ロールについての情報を識別子データベースに登録する場合に、２次転写ローラおよび２次転写バックアップローラを互いに離すとともに、ヒートローラおよび加圧ローラを互いに離すようにしたので、記録媒体にダメージを与えるおそれを低減することができる。
【０１０５】
［変形例１−１］
上記実施の形態では、識別子データベースＤＢを画像形成装置１に内蔵している不揮発性の記憶装置に記憶させたが、これに限定されるものではない。これに代えて、例えば、図１１に示す画像形成システム１００Ａのように、識別子データベースＤＢを情報処理装置に記憶させてもよい。この画像形成システム１００Ａは、情報処理装置１１０Ａと、画像形成装置１Ａとを有している。情報処理装置１１０Ａは、識別子データベースＤＢを記憶している。具体的には、情報処理装置１１０Ａは、例えば、ＨＤＤやＳＳＤ（Solid State Drive）などの不揮発性の記憶装置を有しており、この不揮発性の記憶装置が識別子データベースＤＢを記憶している。画像形成装置１Ａは、タグ識別子管理部４７Ａを有している。タグ識別子管理部４７Ａは、記録媒体９の複数の無線タグ９Ｔから読み出したタグ識別子ＩＤを、情報処理装置１１０Ａに記憶された識別子データベースＤＢに蓄積し管理するものである。
【０１０６】
また、図１２に示す画像形成システム１００Ｂのように、識別子データベースＤＢを、画像形成装置および情報処理装置以外の装置に記憶させてもよい。この画像形成システム１００Ｂは、サーバ装置１２０Ｂと、情報処理装置１１０と、画像形成装置１Ｂとを有している。サーバ装置１２０Ｂは、インターネットＩＮＥＴを介して情報処理装置１１０および画像形成装置１Ｂに接続された、いわゆるクラウドサーバである。サーバ装置１２０Ｂは、識別子データベースＤＢを記憶している。画像形成装置１Ｂは、タグ識別子管理部４７Ｂを有している。タグ識別子管理部４７Ｂは、記録媒体９の複数の無線タグ９Ｔから読み出したタグ識別子ＩＤを、サーバ装置１２０Ｂに記憶された識別子データベースＤＢに蓄積し管理するものである。
【０１０７】
［変形例１−２］
上記実施の形態では、無線タグ９Ｔが埋め込まれたラベル９Ｌを有する記録媒体９を用いたが、これに限定されるものではなく、無線タグ９Ｔが埋め込まれた様々な記録媒体を用いることができる。この場合でも、記録媒体における、良品である無線タグ９Ｔに対応する領域にのみ画像を形成することができる。
【０１０８】
［変形例１−３］
上記実施の形態では、画像形成装置１は、記録媒体９を搬送方向Ｆ１にのみ搬送するようにしたが、これに限定されるものではない。例えば、記録媒体９を搬送方向Ｆ１に搬送した後に、記録媒体９を搬送方向Ｆ１とは反対方向に搬送できるようにしてもよい。これにより、ユーザが媒体巻取部２９からロール８Ｂを取り外して、媒体供給部１０にロール８Ａとしてセットする手間を省くことができる。このようないわゆるバックフィードを行う場合には、搬送モードＭ２（図８）のように、２次転写部２３の２次転写ローラ２２および２次転写バックアップローラ３７を互いに離すとともに、定着部２４のヒートローラ２５および加圧ローラ２６を互いに離すことが望ましい。
【０１０９】
［変形例１−４］
上記実施の形態では、ステップＳ１３８において、無線タグ９Ｔは不良品である場合に、印刷データＤＰに含まれる、そのページ番号ＰＮに対応するページデータを破棄したが、これに限定されるものではない。これに代えて、例えば、そのページデータを破棄せずに、このページデータに基づいて、良品である無線タグ９Ｔに対応するラベル９Ｌに対して画像形成動作を行ってもよい。具体的には、例えば、無線タグ９Ｔは不良品である場合に、ページデータを一旦記憶しておき、全てのページを処理した後（ステップＳ１３９において“Ｙ”）に、記憶されたページデータに基づいて、引き続き、良品である無線タグ９Ｔに対応するラベル９Ｌに対して画像形成動作を行ってもよい。また、例えば、ｎ番目のラベル９Ｌに対応する無線タグ９Ｔが不良品であり、次の（ｎ＋１）番目のラベル９Ｌに対応する無線タグ９Ｔが良品である場合には、ｎ番目のラベル９Ｌにおける画像形成動作に用いられる予定であったページデータを用いて、次の（ｎ＋１）番目のラベル９Ｌに対して画像形成動作を行い、これ以降についても、同様にシフトして画像形成動作を行ってもよい。これにより、例えば、無線タグ９Ｔのいくつかが不良品である場合でも、情報処理装置１１０により指定された数と同数のラベル９Ｌに、所望の画像を形成することができる。
【０１１０】
＜２．第２の実施の形態＞
次に、第２の実施の形態に係る画像形成装置２について説明する。本実施の形態は、無線タグ９Ｔに対してさらにデータを書き込むものである。なお、上記第１の実施の形態に係る画像形成装置１と実質的に同一の構成部分には同一の符号を付し、適宜説明を省略する。
【０１１１】
図３に示したように、画像形成システム２００は、情報処理装置２１０と、画像形成装置２とを有している。
【０１１２】
情報処理装置２１０には、アプリケーションソフトウェア２１１がインストールされている。アプリケーションソフトウェア２１１は、画像形成装置２で印刷される文書や画像などを作成するとともに、無線タグ９Ｔに書き込まれるデータ（タグデータ）を作成するものである。ユーザは、このアプリケーションソフトウェア２１１を使用することにより、例えば、ラベル９Ｌごとに互いに異なる文書や画像などを作成することができるとともに、ラベル９Ｌごとに互いに異なるタグデータを作成することができる。プリンタドライバ１１２は、アプリケーションソフトウェア２１１により作成された文書、画像、タグデータについてのアプリケーションデータに基づいて、画像形成装置２が解釈可能なコマンドを含む印刷データＤＰを生成するようになっている。
【０１１３】
画像形成装置２は、タグ識別子管理部５７と、制御部５８とを有している。
【０１１４】
タグ識別子管理部５７は、記録媒体９の複数の無線タグ９Ｔから読み出したタグ識別子ＩＤを識別子データベースＤＢ２に蓄積し管理するものである。識別子データベースＤＢ２は、上記第１の実施の形態に係る識別子データベースＤＢ（図５，６Ａ，６Ｂ）と同様に、１つのマスタテーブルＭＴと、１または複数のロールテーブルＲＴとを有している。ロールテーブルＲＴには、無線タグ９ＴのステータスＳが記録される。識別子データベースＤＢ２では、このステータスＳは、“機能する（Functional）”、“機能しない（Non-functional）”、“印刷済（Printed）”、“書込済（Wrote）”のいずれかが設定されるようになっている。
【０１１５】
制御部５８は、画像形成装置２内の各ブロックの動作を制御することにより、画像形成装置２の全体動作を制御するものである。
【０１１６】
図１３Ａ，１３Ｂは、画像形成装置２の一動作例を表すものである。画像形成装置２は、通信部４１が情報処理装置２１０から印刷データＤＰを受信すると、セットされているロール８Ａについての情報が識別子データベースＤＢ２に登録されていない場合には、そのロール８Ａについての情報を識別子データベースＤＢ２に登録し、識別子データベースＤＢ２に登録されている場合には、識別子データベースＤＢ２を更新する（図１３Ａ）。そして、画像形成装置２は、印刷データＤＰおよび識別子データベースＤＢ２に基づいて、画像形成処理を行う（図１３Ｂ）。以下に、この動作について詳細に説明する。
【０１１７】
通信部４１が情報処理装置２１０から印刷データＤＰを受信すると、まず、画像形成装置２は、ロール８Ａが媒体供給部１０にセットされているかどうかを検出する（ステップＳ２０１）。そして、画像形成装置２は、ロール８ＡがセットされるまでこのステップＳ２０１を繰り返す。
【０１１８】
次に、画像形成装置２は、画像形成制御部４５からの指示に基づいて、搬送モードを搬送モードＭ２に切り替える（ステップＳ２０２）。
【０１１９】
次に、画像形成装置２は、画像形成制御部４５からの指示に基づいて、ロール８Ａから記録媒体９を引き出して、先頭の無線タグ９Ｔがアンテナ１２の付近に位置するまで記録媒体９を搬送する（ステップＳ２０３）。そして、画像形成装置２は、記録媒体９の搬送を一旦停止する。
【０１２０】
次に、リーダライタ４６は、アンテナ１２を介して、無線タグ９Ｔからタグ識別子ＩＤを読み出す（ステップＳ２０４）。
【０１２１】
次に、タグ識別子管理部５７は、ステップＳ２０４において読み出したタグ識別子ＩＤが、識別子データベースＤＢ２にすでに登録されているかどうかを確認する（ステップＳ２０５）。タグ識別子ＩＤを識別子データベースＤＢ２に登録する方法は、例えば、第１の実施の形態における図７〜図９に示した方法を用いることができる。
【０１２２】
ステップＳ２０５において、タグ識別子ＩＤが識別子データベースＤＢ２にすでに登録されている場合（ステップＳ２０５において“Ｙ”）には、タグ識別子管理部５７は、データベース更新処理を行う（ステップＳ２０６）。
【０１２３】
図１４は、ステップＳ２０６に示したデータベース更新処理のサブルーチンを表すものである。
【０１２４】
まず、タグ識別子管理部５７は、識別子データベースＤＢ２に登録されている、ステップＳ２０４において読み出したタグ識別子ＩＤに含まれるシリアル番号ＳＮに対応するページ番号ＰＮを取得する（ステップＳ２４１）。このページ番号ＰＮは、例えば、ロール８Ａに対応するロールテーブルＲＴに登録された複数のページ番号ＰＮのうちの最大値である。すなわち、この例では、タグ識別子ＩＤが識別子データベースＤＢ２にすでに登録されているので、ロール８Ａにおける複数の無線タグ９Ｔの順番の変更に伴い、ロール８Ａにおける先頭の無線タグ９Ｔに対応するページ番号ＰＮは、ロールテーブルＲＴに登録された複数のページ番号ＰＮのうちの最大値になる。
【０１２５】
次に、タグ識別子管理部５７は、ロールテーブルＲＴに基づいて、処理対象であるページ番号ＰＮに対応する無線タグ９ＴのステータスＳが“機能する（Functional）”であるかどうかを確認する（ステップＳ２４２）。すなわち、図７〜９に示した方法で生成したロールテーブルＲＴでは、無線タグ９ＴのステータスＳは、“機能する（Functional）”または“機能しない（Non-functional）”に設定されているので、タグ識別子管理部５７は、処理対象であるページ番号ＰＮに対応する無線タグ９ＴのステータスＳが“機能する（Functional）”であるかどうかを確認する。無線タグ９ＴのステータスＳが“機能しない（Non-functional）”である場合（ステップＳ２４２において“Ｎ”）には、ステップＳ２４７に進む。
【０１２６】
ステップＳ２４２において、無線タグ９ＴのステータスＳが“機能する（Functional）”である場合（ステップＳ２４２において“Ｙ”）には、リーダライタ４６は、印刷データＤＰに含まれる、そのページ番号ＰＮに対応するタグデータを無線タグ９Ｔに書き込む（ステップＳ２４３）。
【０１２７】
次に、リーダライタ４６は、ステップＳ２４３における書込動作を検証する（ステップＳ２４４）。書き込みが成功した場合には（ステップＳ２４４において“Ｙ”）、タグ識別子管理部５７は、ロールテーブルＲＴにおいて、そのページ番号ＰＮに対応する無線タグ９ＴのステータスＳを“書込済（Wrote）”に変更し（ステップＳ２４５）、ステップＳ２４７に進む。また、書き込みが失敗した場合には（ステップＳ２４４において“Ｎ”）、タグ識別子管理部５７は、ロールテーブルＲＴにおいて、そのページ番号ＰＮに対応する無線タグ９ＴのステータスＳを“機能しない（Non-functional）”に変更し（ステップＳ２４６）、ステップＳ２４７に進む。
【０１２８】
次に、タグ識別子管理部５７は、ページ番号ＰＮをデクリメントし（ステップＳ２４７）、画像形成装置２は、画像形成制御部４５からの指示に基づいて、次の無線タグ９Ｔがアンテナ１２の付近に位置するまで記録媒体９を搬送する（ステップＳ２４８）。
【０１２９】
次に、制御部５８は、印刷データＤＰに含まれる全てのページを処理したかどうかを確認する（ステップＳ２４９）。まだ全てのページを処理していない場合（ステップＳ２４９において“Ｎ”）には、ステップＳ２４２に戻り、印刷データＤＰに含まれる全てのページを処理するまで、ステップＳ２４２〜Ｓ２４９を繰り返す。
【０１３０】
ステップＳ２４９において、全てのページを処理した場合（ステップＳ２４９において“Ｙ”）には、このサブルーチンは終了する。これにより、ロールテーブルＲＴには、印刷データＤＰに含まれるページの数と同じ数の無線タグ９Ｔについての情報が登録される。無線タグ９ＴのステータスＳは、この時点では、“書込済（Wrote）”または“機能しない（Non-functional）”に設定される。
【０１３１】
次に、図１３Ａに示したように、タグ識別子管理部５７は、更新パラメータを“インクリメント”に設定する（ステップＳ２０７）。この更新パラメータは、後述するように、画像形成装置２が画像形成動作を行う際に、ページ番号ＰＮを変化させる方向を示している。そして、ステップＳ２１０に進む。
【０１３２】
ステップＳ２０５において、タグ識別子ＩＤが識別子データベースＤＢ２にまだ登録されていない場合（ステップＳ２０５において“Ｎ”）には、タグ識別子管理部５７は、データベース登録処理を行う（ステップＳ２０８）。
【０１３３】
図１５は、ステップＳ２０８に示したデータベース登録処理のサブルーチンを表すものである。
【０１３４】
まず、タグ識別子管理部５７は、現在セットされているロール８Ａに対応する新しいロールテーブルＲＴを生成する（ステップＳ２６１）。
【０１３５】
次に、リーダライタ４６は、アンテナ１２を介して、無線タグ９Ｔからタグ識別子ＩＤを読み出す（ステップＳ２６２）。なお、処理対象の無線タグ９Ｔが先頭の無線タグ９Ｔである場合には、すでにステップＳ２０４において無線タグ９Ｔからタグ識別子ＩＤを読み出しているので、このステップＳ２６２においてタグ識別子ＩＤを読み出さなくてもよい。
【０１３６】
次に、リーダライタ４６は、無線タグ９Ｔからタグ識別子ＩＤを読み出すことができたかどうかを確認する（ステップＳ２６３）。タグ識別子ＩＤを読み出すことができなかった場合（ステップＳ２６３において“Ｎ”）には、ステップＳ２６９に進む。
【０１３７】
ステップＳ２６３において、タグ識別子ＩＤを読み出すことができた場合（ステップＳ２６３において“Ｙ”）には、リーダライタ４６は、印刷データＤＰに含まれる、そのページ番号ＰＮに対応するタグデータを無線タグ９Ｔに書き込む（ステップＳ２６４）。
【０１３８】
次に、リーダライタ４６は、ステップＳ２６４における書込動作を検証する（ステップＳ２６５）。書き込みが失敗した場合（ステップＳ２６５において“Ｎ”）には、ステップＳ２６９に進む。
【０１３９】
ステップＳ２６５において、書き込みが成功した場合（ステップＳ２６５において“Ｙ”）には、タグ識別子管理部５７は、ロールテーブルＲＴに、処理対象である無線タグ９Ｔに対応するページ番号ＰＮを登録し（ステップＳ２６６）、そのページ番号ＰＮに対応する無線タグ９ＴのステータスＳを“書込済（Wrote）”に設定し（ステップＳ２６７）、無線タグ９Ｔから読み出したタグ識別子ＩＤに含まれるシリアル番号ＳＮを登録する（ステップＳ２６８）。そして、ステップＳ２７１に進む。
【０１４０】
ステップＳ２６３において、タグ識別子ＩＤを読み出すことができなかった場合（ステップＳ２６３において“Ｎ”）、またはステップＳ２６５において、書き込みが失敗した場合（ステップＳ２６５において“Ｎ”）には、タグ識別子管理部５７は、ロールテーブルＲＴに、処理対象である無線タグ９Ｔに対応するページ番号ＰＮを登録し（ステップＳ２６９）、そのページ番号ＰＮに対応する無線タグ９ＴのステータスＳを“機能しない（Non-functional）”に設定する（ステップＳ２７０）。そして、ステップＳ２７１に進む。
【０１４１】
次に、タグ識別子管理部５７は、ページ番号ＰＮをインクリメントし（ステップＳ２７１）、画像形成装置２は、画像形成制御部４５からの指示に基づいて、次の無線タグ９Ｔがアンテナ１２の付近に位置するまで記録媒体９を搬送する（ステップＳ２７２）。
【０１４２】
次に、制御部５８は、印刷データＤＰに含まれる全てのページを処理したかどうかを確認する（ステップＳ２７３）。まだ全てのページを処理していない場合（ステップＳ２７３において“Ｎ”）には、ステップＳ２６２に戻り、印刷データＤＰに含まれる全てのページを処理するまで、ステップＳ２６２〜Ｓ２７３を繰り返す。
【０１４３】
ステップＳ２７３において、全てのページを処理した場合（ステップＳ２７３において“Ｙ”）には、タグ識別子管理部５７は、ロールテーブルＲＴを、機能する無線タグ９Ｔの数、機能しない無線タグ９Ｔの数、タグ識別子ＩＤのタグＭＤＩＤ、およびタグ識別子ＩＤのモデル番号とともに、マスタテーブルＭＴに登録する（ステップＳ２７４）。
【０１４４】
以上で、このサブルーチンは終了する。これにより、ロールテーブルＲＴには、印刷データＤＰに含まれるページの数と同じ数の無線タグ９Ｔについての情報が登録される。無線タグ９ＴのステータスＳは、この時点では、“書込済（Wrote）”または“機能しない（Non-functional）”に設定される。
【０１４５】
次に、図１３Ａに示したように、タグ識別子管理部５７は、更新パラメータを“デクリメント”に設定する（ステップＳ２０９）。そして、ステップＳ２１０に進む。
【０１４６】
次に、切断部１３は、制御部５８からの指示に基づいて記録媒体９を切断し、画像形成装置２は記録媒体９を排出する（ステップＳ２１０）。
【０１４７】
次に、画像形成装置２は、画像形成制御部４５からの指示に基づいて、搬送モードを搬送モードＭ１に切り替え（ステップＳ２１１）、表示部４４は、媒体巻取部２９からロール８Ｂを取り外して、そのロール８Ｂをロール８Ａとして媒体供給部１０にセットすることをユーザに促すメッセージを表示する（ステップＳ２１２）。
【０１４８】
これにより、ロール８Ｂは、ユーザにより、媒体巻取部２９から取り外され、ロール８Ａとして媒体供給部１０にセットされる。
【０１４９】
次に、図１３Ｂに示したように、画像形成装置２は、ロール８Ａが媒体供給部１０にセットされているかどうかを検出する（ステップＳ２２１）。そして、画像形成装置２は、ロール８ＡがセットされるまでこのステップＳ２２１を繰り返す。
【０１５０】
ステップＳ２２１においてロール８Ａがセットされている場合（ステップＳ２２１において“Ｙ”）には、リーダライタ４６は、アンテナ１２を介して、無線タグ９Ｔからタグ識別子ＩＤを読み出す（ステップＳ２２２）。
【０１５１】
次に、タグ識別子管理部５７は、ロールテーブルＲＴに登録されている、そのタグ識別子ＩＤに含まれるシリアル番号ＳＮに対応するページ番号ＰＮを取得する（ステップＳ２２３）。
【０１５２】
そして、画像形成装置２は、これ以降、記録媒体９を搬送し続ける。
【０１５３】
次に、タグ識別子管理部５７は、ロールテーブルＲＴに基づいて、処理対象であるページ番号ＰＮに対応する無線タグ９ＴのステータスＳが“書込済（Wrote）”であるかどうかを確認する（ステップＳ２２４）。
【０１５４】
ステップＳ２２４において、無線タグ９ＴのステータスＳが“書込済（Wrote）”である場合（ステップＳ２２４において“Ｙ”）には、画像形成部２０は、画像形成制御部４５からの指示に基づいて、印刷データＤＰに含まれる、そのページ番号ＰＮに対応するページデータに基づいて、その無線タグ９Ｔに対応するラベル９Ｌに対して画像形成動作を行う（ステップＳ２２５）。すなわち、無線タグ９ＴのステータスＳが“書込済（Wrote）”である場合には、その無線タグ９Ｔは良品であるので、画像形成部２０は、その無線タグ９Ｔに対応するラベル９Ｌに対して画像形成動作を行う。そして、タグ識別子管理部５７は、ロールテーブルＲＴにおいて、そのページ番号ＰＮに対応する無線タグ９ＴのステータスＳを“印刷済（Printed）”に設定する（ステップＳ２２６）。そして、ステップＳ２２８に進む。
【０１５５】
ステップＳ２２４において、無線タグ９ＴのステータスＳが“機能しない（Non-functional）”である場合（ステップＳ２２４において“Ｎ”）には、画像形成部２０は、画像形成制御部４５からの指示に基づいて、空白ページデータに基づいて、その無線タグ９Ｔに対応するラベル９Ｌに対して画像形成動作を行う（ステップＳ２２７）。すなわち、無線タグ９ＴのステータスＳが“機能しない（Non-functional）”である場合には、その無線タグ９Ｔは不良品であるので、画像形成部２０は、印刷データＤＰに含まれる、そのページ番号ＰＮに対応するページデータを破棄して、空白ページデータに基づいて画像形成動作を行う。そして、ステップＳ２２８に進む。
【０１５６】
次に、制御部５８は、印刷データＤＰに含まれる全てのページを処理したかどうかを確認する（ステップＳ２２８）。全てのページを処理した場合（ステップＳ２２８において“Ｙ”）には、このフローは終了する。
【０１５７】
ステップＳ２２８において、印刷データＤＰに含まれる全てのページを処理していない場合（ステップＳ２２８において“Ｎ”）には、タグ識別子管理部５７は、更新パラメータが“インクリメント”であるかどうかを確認する（ステップＳ２２９）。タグ識別子管理部５７は、更新パラメータが“インクリメント”である場合（ステップＳ２２９において“Ｙ”）には、ページ番号ＰＮをインクリメントし（ステップＳ２３０）、更新パラメータが“デクリメント”である場合（ステップＳ２２９において“Ｎ”）には、ページ番号ＰＮをデクリメントする（ステップＳ２３１）。そして、ステップＳ２２４に戻る。
【０１５８】
以上で、このフローは終了する。
【０１５９】
このように、画像形成装置２では、印刷データＤＰを受信した後に、タグデータを無線タグ９Ｔに書き込むことにより、その無線タグ９Ｔが良品または不良品のどちらであるかを確認し、その確認結果を識別子データベースＤＢ２に登録するようにした。そして、その後に、この識別子データベースＤＢ２に基づいて画像形成動作を行うようにした。これにより、画像形成装置２では、良品である無線タグ９Ｔに対応するラベル９Ｌに対してのみ、ページデータに基づいて画像形成動作を行うとともに、その無線タグ９Ｔにタグデータを書き込むことができる。
【０１６０】
以上のように本実施の形態では、タグデータを無線タグに書き込むことにより、その無線タグが良品または不良品のどちらであるかを確認するようにしたので、良品である無線タグに対応するラベルに対してのみ、ページデータに基づいて画像形成動作を行うとともに、その無線タグにタグデータを書き込むことができる。その他の効果は、上記第１の実施の形態の場合と同様である。
【０１６１】
［変形例２］
上記実施の形態に係る画像形成システム２００に、上記第１の実施の形態の変形例を適用してもよい。
【０１６２】
以上、いくつかの実施の形態および変形例を挙げて本技術を説明したが、本技術はこれらの実施の形態等には限定されず、種々の変形が可能である。
【０１６３】
例えば、上記の実施の形態等では、電子写真方式により、記録媒体９に画像を形成したが、これに限定されるものではなく、どのような方式で画像を形成してもよい。また、上記の実施の形態等では、記録媒体９にカラー画像を形成したが、これに限定されるものではなく、モノクロ画像を形成してもよい。
【０１６４】
また、例えば、上記の実施の形態等では、画像形成ユニット３０が形成したトナー像を、転写ベルト３４に一旦転写し、転写ベルト３４に転写されたトナー像を記録媒体９に転写したが、これに限定されるものではなく、これに代えて、例えば、画像形成ユニット３０が形成したトナー像を、記録媒体９に直接転写してもよい。
【符号の説明】
【０１６５】
１，１Ａ，１Ｂ，２…画像形成装置、７…搬送路、８，８Ａ，８Ｂ…ロール、９…記録媒体、９Ｌ…ラベル、９Ｍ…台紙、９Ｔ…無線タグ、１０…媒体供給部、１１…搬送ローラ、１２…アンテナ、１３…切断部、２０…画像形成部、２１…搬送ローラ、２２…２次転写ローラ、２３…２次転写部、２４…定着部、２５…ヒートローラ、２６…加圧ローラ、２７…搬送ローラ、２９…媒体巻取部、３０，３０Ｙ，３０Ｍ，３０Ｃ，３０Ｋ，３０Ｗ…画像形成ユニット、３１，３１Ｙ，３１Ｍ，３１Ｃ，３１Ｋ，３１Ｗ…感光体、３２，３２Ｙ，３２Ｍ，３２Ｃ，３２Ｋ，３２Ｗ…露光部、３３，３３Ｙ，３３Ｍ，３３Ｃ，３３Ｋ，３３Ｗ…１次転写ローラ、３４…転写ベルト、３５…ドライブローラ、３６…アイドルローラ、３７…２次転写バックアップローラ、３８…アイドルローラ、４１…通信部、４２…コマンド解析部、４３…操作部、４４…表示部、４５…画像形成制御部、４６…リーダライタ、４７，４７Ａ，４７Ｂ，５７…タグ識別子管理部、１００，１００Ａ，１００Ｂ，２００…画像形成システム、１１０，１１０Ａ，２１０…情報処理装置、１１１，２１１…アプリケーションソフトウェア、１１２…プリンタドライバ、１２０Ｂ…サーバ装置、ＤＢ，ＤＢ２…識別子データベース、Ｆ１，Ｆ２…搬送方向、ＩＤ…タグ識別子、ＩＮＥＴ…インターネット、ＭＴ…マスタテーブル、Ｍ１，Ｍ２…搬送モード、ＮＥＴ…ネットワーク、ＰＮ…ページ番号、ＲＴ…ロールテーブル、ＳＮ…シリアル番号。
【図１】
2018183929.tif 000003
【図２】
2018183929.tif 000004
【図３】
2018183929.tif 000005
【図４】
2018183929.tif 000006
【図５】
2018183929.tif 000007
【図６Ａ】
2018183929.tif 000008
【図６Ｂ】
2018183929.tif 000009
【図７】
2018183929.tif 000010
【図８】
2018183929.tif 000011
【図９】
2018183929.tif 000012
【図１０Ａ】
2018183929.tif 000013
【図１０Ｂ】
2018183929.tif 000014
【図１１】
2018183929.tif 000015
【図１２】
2018183929.tif 000016
【図１３Ａ】
2018183929.tif 000017
【図１３Ｂ】
2018183929.tif 000018
【図１４】
2018183929.tif 000019
【図１５】
2018183929.tif 000020